(57)【要約】【課題】  水流量を制御して、水が飛散して身体を濡らしたり水資源の浪費を形成するのを防止する流量を節約できる蛇口の提供。【解決手段】  蛇口本体を具え、該蛇口本体に出水量を制御する開閉弁が軸方向に設けられ、該開閉弁の上部に回転ブロックが設けられ、該回転ブロックの上部に係合柱が設けられ、嵌合部品が上から下に該回転ブロックに嵌合されて該開閉弁と同期に回転し、該嵌合部品の上部に係止ブロックが凸設され、回転体が該係合柱に嵌合され且つ該係止ブロックの上部に位置し、該回転体の底部よりストッパ部が延伸され、ノブが開閉弁の係合柱に螺子止めされて人の手による回転操作に供される。【選択図】        図１
0003108430.tif 000002
【実用新案登録請求の範囲】
【請求項１】
蛇口本体（１０）を具え、該蛇口本体（１０）内部に軸方向に開閉弁が設けられて出水量を制御する流量を節約できる蛇口において、
該開閉弁の上部に回転ブロック（１１１）が設けられ、該回転ブロック（１１１）の上方に係合柱（１１３）が設けられ、嵌合部品（１２）が該回転ブロック（１１１）に嵌合されて該開閉弁と同期に回転し、該嵌合部品（１２）の上部に係止ブロック（１２４）が凸設され、該係止ブロック（１２４）が該嵌合部品（１２）の表面で凹形を呈して旋回空間（１２５）を構成し、回転体（１３）が該係合柱（１１３）に嵌合され且つ該係止ブロック（１２４）の上部に位置し、該回転体（１３）の底部よりストッパ部（１３１）が延伸され、該ストッパ部（１３１）が係止ブロック（１２４）の回転を制限し、ノブ（１４）が係合柱（１１３）に螺子止めされて人の手による回転操作に供され、これにより水流の送出量を所定範囲内とする制御を達成することを特徴とする、流量を節約できる蛇口。
【請求項２】
請求項１記載の流量を節約できる蛇口において、係合柱（１１３）外周に係止歯（１１４）が環状に配設され、ノブ（１４）の内部に歯環（１４３）が設けられて該係合柱（１１３）の係止歯（１１４）と組み合わされたことを特徴とする、流量を節約できる蛇口。
【請求項３】
請求項１記載の流量を節約できる蛇口において、回転ブロック（１１１）の左右側にそれぞれ当接平面（１１２）が設けられ、嵌合部品（１２）内部に嵌合孔（１２１）が設けられ、該嵌合孔（１２１）の左右両側にそれぞれ平面（１２２）が設けられ、嵌合部品（１２）が回転ブロック（１１１）に組み合わされて同期に回転することを特徴とする、流量を節約できる蛇口。
【考案の詳細な説明】
【技術分野】
【０００１】
本考案は蛇口構造と関係があり、更に詳しくは、水の送出量を一定範囲内に制限できる蛇口に関する。
【背景技術】
【０００２】
一般に市販されている蛇口のほとんどは使用者が手で握って回すハンドルを具え、このハンドルの底部に弁体が設けられて水流送出量を制御するのに供され、ゆえに使用者が蛇口を回して開く時、ハンドル回転角度が大きくなるほど水の送出量も多くなる。但し水量は水圧により変化し、水使用のピーク時間には水圧は小さくなり、当然蛇口の出水量も小さくなる。反対にピーク時間以外の水圧は高くなり、この時は少し蛇口を開いただけで水が勢い良く流れ出し、突然の水流が四方に飛び散り身体を濡らし、且つ水資源の浪費も形成する。特に全体の生態環境に対して水資源がますます欠乏する昨今の情況にあって、いかに用水を節約するかは早急に解決すべき問題である。
【考案の開示】
【考案が解決しようとする課題】
【０００３】
本考案は、一種の流量を節約できる蛇口を提供することを目的とし、それは、蛇口本体を具え、該蛇口本体に出水量を制御する開閉弁が軸方向に設けられ、該開閉弁の上部に回転ブロックが設けられ、該回転ブロックの上部に係合柱が設けられ、嵌合部品が上から下に該回転ブロックに嵌合されて該開閉弁と同期に回転し、該嵌合部品の上部に係止ブロックが凸設され、回転体が該係合柱に嵌合され且つ該係止ブロックの上部に位置し、該回転体の底部よりストッパ部が延伸され、ノブが開閉弁の係合柱に螺子止めされて人の手による回転操作に供され、これにより水流量を制御して、水が飛散して身体を濡らしたり水資源の浪費を形成するのを防止するものとする。
【課題を解決するための手段】
【０００４】
請求項１の考案は、蛇口本体（１０）を具え、該蛇口本体（１０）内部に軸方向に開閉弁が設けられて出水量を制御する流量を節約できる蛇口において、
該開閉弁の上部に回転ブロック（１１１）が設けられ、該回転ブロック（１１１）の上方に係合柱（１１３）が設けられ、嵌合部品（１２）が該回転ブロック（１１１）に嵌合されて該開閉弁と同期に回転し、該嵌合部品（１２）の上部に係止ブロック（１２４）が凸設され、該係止ブロック（１２４）が該嵌合部品（１２）の表面で凹形を呈して旋回空間（１２５）を構成し、回転体（１３）が該係合柱（１１３）に嵌合され且つ該係止ブロック（１２４）の上部に位置し、該回転体（１３）の底部よりストッパ部（１３１）が延伸され、該ストッパ部（１３１）が係止ブロック（１２４）の回転を制限し、ノブ（１４）が係合柱（１１３）に螺子止めされて人の手による回転操作に供され、これにより水流の送出量を所定範囲内とする制御を達成することを特徴とする、流量を節約できる蛇口としている。
請求項２の考案は、請求項１記載の流量を節約できる蛇口において、係合柱（１１３）外周に係止歯（１１４）が環状に配設され、ノブ（１４）の内部に歯環（１４３）が設けられて該係合柱（１１３）の係止歯（１１４）と組み合わされたことを特徴とする、流量を節約できる蛇口としている。
請求項３の考案は、請求項１記載の流量を節約できる蛇口において、回転ブロック（１１１）の左右側にそれぞれ当接平面（１１２）が設けられ、嵌合部品（１２）内部に嵌合孔（１２１）が設けられ、該嵌合孔（１２１）の左右両側にそれぞれ平面（１２２）が設けられ、嵌合部品（１２）が回転ブロック（１１１）に組み合わされて同期に回転することを特徴とする、流量を節約できる蛇口としている。
【考案の効果】
【０００５】
本考案は、一種の流量を節約できる蛇口を提供し、それは、蛇口本体を具え、該蛇口本体に出水量を制御する開閉弁が軸方向に設けられ、該開閉弁の上部に回転ブロックが設けられ、該回転ブロックの上部に係合柱が設けられ、嵌合部品が上から下に該回転ブロックに嵌合されて該開閉弁と同期に回転し、該嵌合部品の上部に係止ブロックが凸設され、回転体が該係合柱に嵌合され且つ該係止ブロックの上部に位置し、該回転体の底部よりストッパ部が延伸され、ノブが開閉弁の係合柱に螺子止めされて人の手による回転操作に供され、これにより水流量を制御して、水が飛散して身体を濡らしたり水資源の浪費を形成するのを防止できる。
【考案を実施するための最良の形態】
【０００６】
図１、２に示されるように、本考案の流量を節約できる蛇口は、蛇口本体（１０）と、嵌合部品（１２）と、回転体（１３）と、ノブ（１４）を具えている。
【０００７】
該蛇口本体（１０）は、該蛇口本体（１０）内部に軸方向に出水量を制御する開閉弁（本考案の設計の重点ではないため図示せず）が設けられ、該開閉弁の上部に回転ブロック（１１１）が設けられ、該回転ブロック（１１１）の左右両側にそれぞれ当接平面（１１２）が設けられ、該回転ブロック（１１１）の上部に係合柱（１１３）が設けられ、該係合柱（１１３）の外周壁に係止歯（１１４）が環状に配設され且つその中心にネジ孔（１１５）が設けられている。
【０００８】
該嵌合部品（１２）は上から下に回転ブロック（１１１）に嵌合され、該嵌合部品（１２）は略円形環体とされ、その底部に回転ブロック（１１１）の形状とサイズに対応する嵌合孔（１２１）が設けられ、嵌合孔（１２１）の左右側にそれぞれ平面（１２２）が設けられ、該嵌合部品（１２）の上部中心に穿孔（１２３）が設けられて嵌合孔（１２１）に直通し、嵌合孔（１２１）が係合柱（１１３）の挿通により回転ブロック（１１１）に組付けられ、また傘形を呈する係止ブロック（１２４）が該嵌合部品（１２）の上部の一側に凸設され、該係止ブロック（１２４）が嵌合部品（１２）の上面円周に１本の凹形の旋回空間（１２５）を形成する。
【０００９】
該回転体（１３）は該嵌合部品（１２）の上面に重ね合わされ、該嵌合部品（１２）の周囲輪郭の大きさと一致し、該回転体（１３）の底部に下向きにストッパ部（１３１）が設けられ、該ストッパ部（１３１）は嵌合部品（１２）の旋回空間（１２５）内に嵌合され、且つ回転体（１３）の軸方向中心に貫通する中心孔（１３２）が設けられ、該中心孔（１３２）が開閉弁上部の係合柱（１１３）に嵌合される。
【００１０】
該ノブ（１４）は、更に図３を参照されたいが、その外周に止滑部（１４１）が設けられ、その中心に下向きに魚眼孔（１４２）が設けられ、該魚眼孔（１４２）の下方に貫通する歯環（１４３）が図３のように設けられ、並びに円形の凹ポート空間（１４４）が該ノブ（１４）の底部に位置し、固定部品（１４５）例えばネジ釘がノブ（１４）の魚眼孔（１４２）に通された後に該開閉弁上部のネジ孔（１１５）内にねじ込まれる。
【００１１】
上述の構造により、人が蛇口を開けて水を使用したい時、手でノブ（１４）を握り回すと（図３を参照されたい）、開閉弁が同期に回転し、嵌合部品（１２）が開閉弁の回転ブロック（１１１）に嵌合され、且つ回転ブロック（１１１）の左右の当接平面（１１２）と嵌合部品（１２）の左右側の平面（１２２）が図１のように当接するため、ノブ（１４）を回して開閉弁を開く時、嵌合部品（１２）が同期に回転し、嵌合部品（１２）の回転範囲が回転体（１３）のストッパ部（１３１）の係止により制限され（図４の如し）、これにより嵌合部品（１２）が回転ブロック（１１１）に伴い逆時計回りに回転し、係止ブロック（１２４）の一側壁ａが回転体（１３）のストッパ部（１３１）の第１側壁ｂに接触する時、すなわち嵌合部品（１２）が制止されてそれ以上回転せず、開閉弁をそれ以上回転不能とし、ノブ（１４）の回転範囲を所定の角度内に制限し、開閉弁をそれ以上開けられなくして出水量を制限する。
【００１２】
反対に図５に示されるように、蛇口を締める時、手で時計回りの方向にノブ（１４）を回すと、同期に開閉弁が駆動されて反対方向に回転し、この時、嵌合部品（１２）もまた反対方向に回転してもとの位置に戻り、また蛇口の閉じられた位置と全開の範囲が３６０度を超過せず、手による操作の人体工学に符合し、ゆえに嵌合部品（１２）の係止ブロック（１２４）が回転体（１３）のストッパ部（１３１）に接触する前に、該開閉弁はすでに止水状態を達成し、こうして回転体（１３）の下方のストッパ部（１３１）を利用して嵌合部品（１２）の回転角度を限定でき、これにより開閉弁を開く角度を制限でき、蛇口出水量を一定範囲内に制御し、大量の水が続けて流出することによる浪費を防止し、並びに飛び散って身体を濡らす情況が発生するのを防止できる。
【００１３】
特に、一般蛇口の出水機能に回復させたい時（比較的大量の水を使用する時）は、固定部品（１４５）を回して外し、回転体（１３）及び嵌合部品（１２）を取り外し、更にノブ（１４）を開閉弁の係合柱（１１３）に嵌合し、ノブ（１４）内部の歯環（１４３）を直接開閉弁の係合柱（１１３）の係止歯（１１４）に嵌合させて、手でノブ（１４）を直接駆動して開閉弁を回転させれば、一般の蛇口のように、ノブ（１４）の回転角度が大きくなるほど出水量も大きくなり、比較的多くの水量が必要な時に応用される。重要なことは、使用方式の交換は習熟した特定対象でなければ操作できないことである。これは、本考案の出水量制御の装置が嵌合部品（１２）及び回転体（１３）とされて、これら二つの重要部品はノブ（１４）底部の凹ポート空間（１４４）内に図２の如く内蔵され、一般の人には分かりにくいためであり、これにより他の関係ない人が平時に任意に一般の蛇口機能に変換して使用して水資源の浪費を形成するのを防止できる。
【図面の簡単な説明】
【００１４】
【図１】本考案の好ましい実施例の立体分解図である。
【図２】本考案の好ましい実施例の立体組合せ図である。
【図３】本考案の好ましい実施例の組合せ断面図である。
【図４】図３の３Ｂ−３Ｂ断面図である。
【図５】図４の動作表示図である。
【符号の説明】
【００１５】
（１０）蛇口本体
（１１１）回転ブロック
（１１２）当接平面
（１１３）係合柱
（１１４）係止歯
（１１５）ネジ孔
（１２）嵌合部品
（１２１）嵌合孔
（１２２）平面
（１２３）穿孔
（１２４）係止ブロック
（１２５）旋回空間
（１３）回転体
（１３１）ストッパ部
（１３２）中心孔
（１４）ノブ
（１４１）止滑部
（１４２）魚眼孔
（１４３）歯環
（１４４）凹ポート空間
（１４５）固定部品
【図１】
0003108430.tif 000003
【図２】
0003108430.tif 000004
【図３】
0003108430.tif 000005
【図４】
0003108430.tif 000006
【図５】
0003108430.tif 000007